(57)【要約】      【課題】  デジタルＴＶ放送の受信可／不可地域が混在する為に発生し得るデジタルＴＶ放送とアナログＴＶ放送との切替作業の負担を軽減させる。      【解決手段】  デジタル放送チャンネルとアナログ放送チャンネルとを関連付けて記憶したチャンネル記憶手段と、デジタル放送の受信強度を検出するデジタル放送検出手段とを備えたデジタル／アナログ放送受信機を用いて、検出された受信強度が第１の閾値より高いときには当該デジタル放送を受信し、該受信強度が該第１の閾値以下のときには該デジタル放送と関連付けられたアナログ放送を受信するよう機能させる。【選択図】      図２
2005328169.tif 000002
【特許請求の範囲】
【請求項１】
デジタル放送とアナログ放送とを受信可能なデジタル／アナログ放送受信機において、
デジタル放送チャンネルとアナログ放送チャンネルとを関連付けて記憶したチャンネル記憶手段と、
デジタル放送の受信強度を検出するデジタル放送検出手段と、を備え、
検出された受信強度が第１の閾値より高いときには当該デジタル放送を受信し、
該受信強度が該第１の閾値以下のときには該デジタル放送と関連付けられたアナログ放送を受信すること、を特徴とするデジタル／アナログ放送受信機。
【請求項２】
アナログ放送の受信強度を検出するアナログ放送検出手段をさらに備え、
デジタル放送の受信強度が前記第１の閾値以下で且つ該デジタル放送と関連付けられたアナログ放送の受信強度が第２の閾値より高いときのみ、当該アナログ放送を受信すること、を特徴とする請求項１に記載のデジタル／アナログ放送受信機。
【請求項３】
前記アナログ放送の受信強度が前記第２の閾値より高いときに当該アナログ放送と関連付けられたデジタル放送の受信強度が前記第１の閾値以下である状態が所定時間経過すると、該アナログ放送を受信すること、を特徴とする請求項２に記載のデジタル／アナログ放送受信機。
【請求項４】
前記デジタル放送検出手段は、さらに、受信信号の波形、該受信信号に含まれた同期信号、誤り率の中の少なくとも１つのパラメータを検出し、
検出されたパラメータが所定の条件を満たすときには当該デジタル放送を受信し、
該パラメータが該所定の条件を満たさないときには該デジタル放送と関連付けられたアナログ放送を受信すること、を特徴とする請求項１から請求項３のいずれかに記載のデジタル／アナログ放送受信機。
【請求項５】
前記デジタル放送は地上波のデジタルテレビジョン放送であり、前記アナログ放送は地上波のアナログテレビジョン放送であること、を特徴とする請求項１から請求項４のいずれかに記載のデジタル／アナログ放送受信機。
【請求項６】
移動体に搭載されたこと、を特徴とする請求項１から請求項５のいずれかに記載のデジタル／アナログ放送受信機。
【請求項７】
デジタル放送とアナログ放送とを受信可能なデジタル／アナログ放送受信機において、
デジタル放送チャンネルとアナログ放送チャンネルとを関連付けて記憶したチャンネル記憶手段と、
デジタル放送の受信強度を検出するデジタル放送検出手段と、
アナログ放送の受信強度を検出するアナログ放送検出手段と、
デジタル放送またはアナログ放送のいずれを優先的に受信するかを設定する受信設定手段と、を備え、
デジタル放送を優先的に受信するよう設定された場合、デジタル放送の受信強度が第１の閾値以下で且つ該デジタル放送と関連付けられたアナログ放送の受信強度が第２の閾値より高いときのみ、当該アナログ放送を受信し、
アナログ放送を優先的に受信するよう設定された場合、当該アナログ放送と関連付けられたデジタル放送の受信強度が第１の閾値以下のときのみ、当該アナログ放送を受信すること、を特徴とするデジタル／アナログ放送受信機。
【発明の詳細な説明】
【技術分野】
【０００１】
この発明は、デジタル放送とアナログ放送とを受信可能なデジタル／アナログ放送受信機に関する。
【背景技術】
【０００２】
近年、地上波のデジタルテレビジョン放送（以下、デジタルＴＶ放送と略記）が普及しつつある。しかしながら現状では、その普及には多大な時間とコストを必要とし、デジタルＴＶ放送を受信可能な地域が一部に限られている為、デジタルＴＶ放送とアナログテレビジョン放送（以下、アナログＴＶ放送と略記）とのサイマル放送（すなわちデジタル及びアナログの両方式で同一時間に同一コンテンツを放送すること）が実施されている。
【０００３】
上述したように地域によってデジタルＴＶ放送を受信できないところがある為、例えば車両に代表される移動体に搭載されたテレビジョン放送（以下、ＴＶ放送と略記）用の受信機は、デジタルＴＶ放送とアナログＴＶ放送の両放送を受信できることが望ましい。この為、両放送を受信可能なデジタル／アナログ放送受信機が種々提案され、実用に供されている（例えば特許文献１）。
【特許文献１】特開２００２−３７４４６６号公報
【発明の開示】
【発明が解決しようとする課題】
【０００４】
上記特許文献１に示されたような車載されたデジタル／アナログ放送受信機は、移動する為、ＴＶ放送の受信状況が変化し易い。特にデジタルＴＶ放送は、上述したように普及段階である為、地域によっては全く受信できなくなる。この為、例えばデジタルＴＶ放送を受信していた移動体がそれを受信できない地域に進入したとき、ユーザは、車載器などを操作して当該デジタルＴＶ放送に対応したアナログＴＶ放送を受信するようチャンネルを設定しなければ継続して同一番組を視聴することができない。
【０００５】
しかしながらデジタルＴＶ放送が受信できなくなる度にチャンネル設定を行うことはユーザにとって煩雑な作業であった。また、地域によってはアナログ周波数変更が実施されているところもあり、ユーザがそれに応じた適切なチャンネルを設定することは非常に困難であった。
【０００６】
そこで、本発明は上記の事情に鑑み、デジタルＴＶ放送の受信可／不可地域が混在する為に発生し得るデジタルＴＶ放送とアナログＴＶ放送との切替作業の負担を軽減したデジタル／アナログ放送受信機を提供することを目的とする。
【課題を解決するための手段】
【０００７】
上記の課題を解決する本発明の一態様に係るデジタル放送とアナログ放送とを受信可能なデジタル／アナログ放送受信機は、デジタル放送チャンネルとアナログ放送チャンネルとを関連付けて記憶したチャンネル記憶手段と、デジタル放送の受信強度を検出するデジタル放送検出手段とを備えたものであり、検出された受信強度が第１の閾値より高いときには当該デジタル放送を受信し、該受信強度が該第１の閾値以下のときには該デジタル放送と関連付けられたアナログ放送を受信する。また、アナログ放送の受信強度を検出するアナログ放送検出手段をさらに備えたものであり、デジタル放送の受信強度が第１の閾値以下で且つ該デジタル放送と関連付けられたアナログ放送の受信強度が第２の閾値より高いときのみ、当該アナログ放送を受信するものであってもよい。また、アナログ放送の受信強度が第２の閾値より高いときに当該アナログ放送と関連付けられたデジタル放送の受信強度が第１の閾値以下である状態が所定時間経過すると、該アナログ放送を受信することができる。
【０００８】
また、上記デジタル／アナログ放送受信機のデジタル放送検出手段は、さらに、受信信号の波形、該受信信号に含まれた同期信号、誤り率の中の少なくとも１つのパラメータを検出することができる。このとき、デジタル／アナログ放送受信機は、検出されたパラメータが所定の条件を満たすときには当該デジタル放送を受信し、該パラメータが該所定の条件を満たさないときには該デジタル放送と関連付けられたアナログ放送を受信するよう機能する。
【０００９】
また、ここでいうデジタル放送は地上波のデジタルテレビジョン放送であり、アナログ放送は地上波のアナログテレビジョン放送であってもよい。
【００１０】
また、上記デジタル／アナログ放送受信機は移動体に搭載されたものであってもよい。
【発明の効果】
【００１１】
本発明のデジタル／アナログ放送受信機を採用すると、デジタルＴＶ放送を受信可能な地域と受信不可な地域を往き来した場合であっても、その受信強度に基づいてデジタルＴＶ放送とアナログＴＶ放送との切替を適宜実行する為、従来ユーザが行うべきであったデジタルＴＶ放送とアナログＴＶ放送との切替作業が必要なくなる。
【発明を実施するための最良の形態】
【００１２】
本発明の実施形態のデジタル／アナログ放送受信機は、例えば移動体である車両に搭載された装置であり、デジタルＴＶ放送（ここでは地上波）の受信可／不可地域が混在する為に発生し得るデジタルＴＶ放送とアナログＴＶ放送（ここでは地上波）との切替作業の負担を軽減させることができるものである。図１は、本実施形態のデジタル／アナログ放送受信機１００の構成を示したブロック図である。以下に、図１を参照して、本実施形態のデジタル／アナログ放送受信機１００の構成及び作用について説明する。
【００１３】
本実施形態のデジタル／アナログ放送受信機１００は、当該受信機１００全体の制御を統括して行う制御部１０と、当該受信機１００をユーザが操作する為の操作部１２と、デジタルＴＶ放送チャンネルとそれに対応したアナログＴＶ放送チャンネル（ここでは前記のデジタルＴＶ放送と同一時間に同一番組を放送しているアナログＴＶ放送のチャンネル）とを関連付けて記憶（例えば１０種類程度）した記憶部１４と、デジタルＴＶ放送の映像・音声信号を取得する為の構成要素と、アナログＴＶ放送の映像・音声信号を取得する為の構成要素と、これらの構成要素から出力された信号に基づいて番組を再生するモニタ４２及びスピーカ４４から構成されている。なお、ユーザは、操作部１２を操作することにより、例えば、視聴したいＴＶ放送チャンネルを選択したり、デジタルまたはアナログＴＶ放送のいずれかを優先的に視聴するよう設定したりすることができる。また、記憶部１４に記憶されたデジタルＴＶ放送チャンネルとアナログＴＶ放送チャンネルとの関連付けは、操作部１２を操作することによりユーザが各自設定することもできる。操作部１２が操作されるとその操作に応じた信号が制御部１０に入力される。この為、制御部１０は、現在設定されているＴＶ放送のチャンネルなどを認識することができる。
【００１４】
デジタルＴＶ放送の映像・音声信号を取得する為の構成要素は、デジタルＴＶ放送を受信する為のデジタル用アンテナ２２と、このデジタル用アンテナ２２が捉えた信号の中から所定のデジタルＴＶ放送（例えば操作部１２の操作で設定されているチャンネル）の信号を取得する為のデジタル用チューナ２４と、デジタル用チューナ２４から出力された信号を映像・音声信号に復調するＯＦＤＭ（Orthogonal Frequency Division Multiplexing）部２６と、復調された映像・音声信号を再生する為のＭＰＥＧ（Moving Picture Experts Group）部２８から成る。このＭＰＥＧ部２８からモニタ４２及びスピーカ４４に映像・音声信号が出力されると、ユーザは、地上波のデジタルＴＶ放送を視聴することができる。
【００１５】
また、アナログＴＶ放送の映像・音声信号を取得する為の構成要素は、アナログＴＶ放送を受信する為のアナログ用アンテナ３２と、このアナログ用アンテナ３２が捉えた信号の中から所定のアナログＴＶ放送の信号を取得する為のアナログ用チューナ３４と、アナログ用チューナ３４から出力された信号を復調して映像・音声信号として出力するインターフェース３６から成る。このインターフェース３６からモニタ４２及びスピーカ４４に映像・音声信号が出力されると、ユーザは、地上波のアナログＴＶ放送を視聴することができる。
【００１６】
図２は、本実施形態のデジタル／アナログ放送受信機１００で行われる処理であって、ＴＶ放送信号の受信状況に応じてデジタルまたはアナログＴＶ放送のいずれかを選択的に再生する為のＴＶ放送受信選択処理を示したフローチャートである。以下に、図２を参照して、本実施形態のデジタル／アナログ放送受信機１００が行うＴＶ放送受信選択処理について説明する。
【００１７】
なお、図２のフローチャートに示したＴＶ放送受信選択処理は、デジタル／アナログ放送受信機１００の電源（不図示）がオンされると開始され、電源がオフ若しくは操作部１２の操作によってＴＶ放送受信選択の機能がオフされると終了する。
【００１８】
デジタル／アナログ放送受信機１００の電源がオンされると、デジタル用チューナ２４は、デジタル用アンテナ２２が捉えた周波数帯の中から現在設定されているデジタルＴＶ放送チャンネルの信号を受信する（ステップ１、以下、ステップを「Ｓ」と略記）。そして制御部１０が、前記のデジタル信号の受信電力（別の言い方をすると受信された当該デジタル信号の強度）が第１の閾値より高いか否かを判定する（Ｓ２）。受信電力の値を第１の閾値より高いと判定した場合（Ｓ２：ＹＥＳ）、制御部１０は、デジタルＴＶ放送を受信できる状態にある為、モード判定処理を行う（Ｓ３）。また、受信電力の値を第１の閾値以下と判定した場合（Ｓ２：ＮＯ）、制御部１０は、デジタルＴＶ放送を受信できない若しくは受信が極めて困難な状態にある為、記憶部１４を参照して現在受信すべきデジタルＴＶ放送チャンネルに対応したアナログＴＶ放送チャンネルがあるか否かを判定する（Ｓ８）。
【００１９】
ここで、デジタルＴＶ放送には規格化された所定のモードが複数種類存在する。Ｓ３の処理では受信したデジタル信号のキャリアの間隔や波形の長さを判定し、当該デジタル信号が前記のモードに適合しているか否かを判断している。受信したデジタル信号が前記のモードに適合していると判定した場合（Ｓ３：ＹＥＳ）、制御部１０は、そのデジタル信号に同期信号が含まれているか否かを判定する（Ｓ４）。また、受信したデジタル信号が前記のモードに適合していないと判定した場合（Ｓ３：ＮＯ）、制御部１０は、Ｓ８の処理に進む。
【００２０】
Ｓ４の処理においてデジタル信号に同期信号が含まれていると判定した場合（Ｓ４：ＹＥＳ）、制御部１０は、当該デジタル信号のＢＥＲ（Bit Error Rate）が所定値以下か否かを判定する（Ｓ５）。また、デジタル信号に同期信号が含まれていないと判定した場合（Ｓ４：ＮＯ）、制御部１０は、Ｓ８の処理に進む。
【００２１】
Ｓ５の処理においてＢＥＲが所定値以下であると判定した場合（Ｓ５：ＹＥＳ）、制御部１０は、デジタルＴＶ放送を良好に再生させることができる為、ＯＦＤＭ部２６及びＭＰＥＧ部２８を制御して映像・音声信号を生成させてモニタ４２及びスピーカ４４に出力させる。これによりモニタ４２及びスピーカ４４においてデジタルＴＶ放送が再生される（Ｓ６）。また、ＢＥＲが所定値より高いと判定した場合（Ｓ５：ＮＯ）、制御部１０は、デジタルＴＶ放送を良好に再生させることができない為、Ｓ８の処理に進む。なお、ここでいう所定値とは例えば１０−２である。しかしながらこの値は、制御方法や各構成要素のパラメータに応じて全く異なった値に変化し得る。
【００２２】
Ｓ６の処理においてデジタルＴＶ放送が再生されると、制御部１０は、引き続き当該デジタル信号の受信電力を監視する（Ｓ７）。受信電力の値が第１の閾値より高ければ（Ｓ７：ＹＥＳ）、制御部１０は、デジタルＴＶ放送を再生させつつもＳ７の判定処理を繰り返し実行する。また、受信電力の値が第１の閾値以下になったとき（Ｓ７：ＮＯ）、制御部１０は、Ｓ８の処理に進む。
【００２３】
Ｓ８の処理では再生予定のデジタルＴＶ放送チャンネルに対応したアナログＴＶ放送チャンネルが記憶部１４に記憶されている場合（Ｓ８：ＹＥＳ）、制御部１０は、アナログ用チューナ３４によってアナログ用アンテナ３２が捉えた周波数帯の中から前記の対応アナログＴＶ放送チャンネルの信号を受信し、そのアナログ信号の受信電力が第２閾値より高いか否かを判定する（Ｓ９）。また、再生予定のデジタルＴＶ放送チャンネルに対応したアナログＴＶ放送チャンネルが記憶部１４に記憶されていない場合（Ｓ８：ＮＯ）、制御部１０は、デジタルＴＶ放送を再生し得る状態で待機し（Ｓ１７）、Ｓ２の処理に戻り、当該デジタル信号の受信電力の監視を再開する。
【００２４】
Ｓ９の処理において受信電力の値を第２の閾値より高いと判定した場合（Ｓ９：ＹＥＳ）、制御部１０は、そのアナログ信号に同期信号が含まれているか否かを判定する（Ｓ１０）。また、受信電力の値を第２の閾値以下と判定した場合（Ｓ９：ＮＯ）、制御部１０は、アナログ再生モードに設定されているか否かを判定する（Ｓ１６）。ここでユーザは、操作部１２を操作することによってデジタル再生モード又はアナログ再生モードのいずれかを設定することができる。このデジタル再生モードとはデジタルＴＶ放送を優先的に再生させる為のモードであり、アナログ再生モードとはアナログＴＶ放送を優先的に再生させる為のモードである。
【００２５】
Ｓ１０の処理においてアナログ信号に同期信号が含まれていると判定した場合（Ｓ１０：ＹＥＳ）、制御部１０は、カウンタをスタートさせる（Ｓ１１）。そして当該アナログ信号に対応したデジタル信号の受信電力が第１の閾値より高いか否かを再び判定する（Ｓ１２）。
【００２６】
デジタル信号の受信電力の値を第１の閾値より高いと判定した場合（Ｓ１２：ＹＥＳ）、制御部１０は、Ｓ３のモード判定処理に戻る。また、デジタル信号の受信電力の値を第１の閾値以下と判定した場合（Ｓ１２：ＮＯ）、制御部１０は、上記カウンタをスタートさせてから所定時間が経過したか否かを判定する（Ｓ１３）。
【００２７】
Ｓ１３の処理において所定時間経過したと判定した場合（Ｓ１３：ＹＥＳ）、制御部１０は、アナログＴＶ放送を良好に再生させることができる為、インターフェース３６を制御して映像・音声信号を生成させてモニタ４２及びスピーカ４４に出力させる。これによりモニタ４２及びスピーカ４４においてアナログＴＶ放送が再生される（Ｓ１４）。また、所定時間経過していないと判定した場合（Ｓ１３：ＮＯ）、制御部１０は、Ｓ１２のデジタル信号の受信電力の監視処理を再び実行する。なお、Ｓ１２の監視処理は所定のタイミング毎に実行される。また、所定時間経過した後にアナログＴＶ放送を再生させるのは、直ぐさまデジタル信号の受信電力が高くなるというケースを想定したためである。上記ケースは、デジタルＴＶ放送視聴可能領域の境界線近傍に移動体が位置したときに比較的発生し易い。
【００２８】
Ｓ１４の処理においてアナログＴＶ放送が再生されると、制御部１０は、引き続き当該デジタル信号の受信電力を監視する（Ｓ１５）。デジタル信号の受信電力の値が第１の閾値以下である場合（Ｓ１５：ＮＯ）、制御部１０は、アナログＴＶ放送を再生させつつも所定のタイミング後に再び当該Ｓ１５の処理を実行する。また、デジタル信号の受信電力の値が第１の閾値より高い場合（Ｓ１５：ＹＥＳ）、制御部１０は、Ｓ３のモード判定処理に戻る。
【００２９】
また、Ｓ１０の処理においてアナログ信号に同期信号が含まれていないと判定した場合（Ｓ１０：ＮＯ）、制御部１０は、Ｓ１６のアナログ再生モード設定判定処理に進む。ここで、現在の設定がアナログ再生モードである場合（Ｓ１６：ＹＥＳ）、制御部１０は、アナログＴＶ放送を再生し得る状態で待機し（Ｓ１８）、Ｓ１５の処理に進み、当該デジタル信号の受信電力の監視を再開する。また、現在の設定がアナログ再生モードでない場合（Ｓ１６：ＮＯ）、制御部１０は、Ｓ１７のデジタル放送再生待機処理に進む。
【００３０】
上述したＴＶ放送受信選択処理を行うことによってユーザは、デジタルＴＶ放送を受信可能な地域と受信不可な地域を往き来しても、デジタルＴＶ放送とアナログＴＶ放送との切替作業を行うことなく常に同一の番組を継続して視聴することができる。また、本実施形態のデジタル／アナログ放送受信機１００では地域でなく受信強度そのものに基づいて上記切替の判定を行っている為、デジタルＴＶ放送システムの開発が進むことによる放送地域の変化にも柔軟に対応することができる。
【００３１】
また、記憶部１４に予め適切なアナログＴＶ放送チャンネルを記憶させておくことにより、地域によって必要とされるアナログ周波数変更にも対応することができる。すなわちアナログ周波数変更を加味したアナログＴＶ放送チャンネルを予め記憶させておくことにより、デジタルＴＶ放送とアナログＴＶ放送との切替作業を行う必要がなくなる。
【００３２】
以上が本発明の実施形態である。本発明はこれらの実施形態に限定されるものではなく様々な範囲で変形が可能である。
【００３３】
なお、各地域によってＴＶ放送に使用される周波数帯が異なる為、デジタルＴＶ放送チャンネルとそれに対応したアナログＴＶ放送チャンネルとの関係も各地域によって異なってしまう。従って各地域でそれぞれ異なったチューニングを行う必要がある。この問題は、例えば、本実施形態のデジタル／アナログ放送受信機１００にＧＰＳレシーバなどの位置情報を取得する要素を追加し、各地域に関連付けられたテーブルであって、デジタルＴＶ放送チャンネルとそれに対応したアナログＴＶ放送チャンネルとを関連付けて記憶したテーブルを記憶部１４に記憶させることにより対処可能である。このような受信機を用いて図２のフローチャートの如きＴＶ放送受信選択処理を行う場合、制御部１０は、先ず、ＧＰＳレシーバを用いて位置情報を取得して自身が位置する地域を検出し、記憶部１４を読み込んで検出された地域に対応した上記テーブルを参照して各処理を行う。これにより各地域に対応したＴＶ放送受信選択処理が行われる。
【図面の簡単な説明】
【００３４】
【図１】本発明の実施形態のデジタル／アナログ放送受信機の構成を示したブロック図である。
【図２】本発明の実施形態のデジタル／アナログ放送受信機で行われるＴＶ放送受信選択処理を示したフローチャートである。
【符号の説明】
【００３５】
１０  制御部
１２  操作部
１４  記憶部
２２  デジタル用アンテナ
２４  デジタル用チューナ
２６  ＯＦＤＭ部
２８  ＭＰＥＧ部
３２  アナログ用アンテナ
３４  アナログ用チューナ
３６  インターフェース
４２  モニタ
４４  スピーカ
１００  デジタル／アナログ放送受信機
【図１】
2005328169.tif 000003
【図２】
2005328169.tif 000004